【手続補正書】
【提出日】平成16年12月10日(2004.12.10)
【手続補正１】
【補正対象書類名】特許請求の範囲
【補正対象項目名】全文
【補正方法】変更
【補正の内容】
【特許請求の範囲】
【請求項１】
商品陳列システムであって、
棚に操作可能に連結するように適合された基部と、
陳列される製品を各列に仕切る仕切板部（５０４）とを含んでなり、
当該前記仕切板部が、前記基部を、プッシャトラック（８００）を有する第１の部分（５１８）、および第２の部分（５２０）に分離するように基部から突出すことを特徴とする、陳列される商品を支持するための一体化された基部および仕切板アセンブリ（５００）と、
商品を棚の前部に向かって第１の部分に沿って押し出すプッシャトラック内のバネ付勢プッシャ（７００）と、
を備えてなる商品陳列システム。
【請求項２】
基部および仕切板部は、基部の長さおよび仕切板部の長さを短縮するためのそれぞれ取り外し可能な分離部（５１６−２および５１４−２）を有していることを特徴とする、請求項１に記載の商品陳列システム。
【請求項３】
基部の分離部が取り外された状態で、第１の部分の背部近傍の穴（５０８）に挿入された栓（１３００）によってプッシャがプッシャトラックの背部からスライドしてはずれることを防止することを特徴とする、請求項１に記載の商品陳列システム。
【請求項４】
プッシャトラックの前端部（８０４）は、プッシャがプッシャトラックの前部に挿入される時にプッシャのコイルバネ（８０６）の曲がり部分と自動的に噛み合うことを特徴とする、請求項１に記載の商品陳列システム。
【請求項５】
プッシャは、商品を補充する位置のトラックの背部の近傍にプッシャを保持するための凹部（８０２）を含むことを特徴とする、請求項１に記載の商品陳列システム。
【請求項６】
プッシャは、仕切板部とプッシャトラックとの間の距離よりも仕切板部から遠くに離して配置されたオフセット部（７０２）を含むことを特徴とする、請求項１に記載の商品陳列システム。
【請求項７】
オフセット部は、角度の付いたオフセット部（７０４）によってプッシャの下部からずらされたプッシャの上部であることを特徴とする、請求項６に記載の商品陳列システム。
【請求項８】
基部および仕切板アセンブリの背部の第１の部分は基部および仕切板アセンブリの背部の第２の部分よりも幅が広いことを特徴とする、請求項１に記載の商品陳列システム。
【請求項９】
基部（６１０、５１８）を有する一体端部部品（６００、１５００）、および仕切板部（６０８、５０４）をさらに備え、端部部品の仕切板部と、基部および仕切板アセンブリの仕切板部と、プッシャとが協働して陳列される商品とを収容することを特徴とする、請求項１に記載の商品陳列システム。
【請求項１０】
基部および仕切板アセンブリの第１部分によって支持された第１列目の陳列商品の少なくとも１つの側の反対側の第１列目の陳列商品（１４００）の側を、端部部品の基部が支持することを特徴とする請求項１に記載の商品陳列システム。
【請求項１１】
棚（１４０１）に操作可能に連結するように適合された基部をさらに備え、前記基部はプッシャトラック（８００）を含むことを特徴とする、請求項８に記載の商品陳列システム。
【請求項１２】
基部のプッシャトラック内にバネ付勢プッシャをさらに備えることを特徴とする、請求項１０に記載の商品陳列システム。
【請求項１３】
棚（１４０１）に操作可能に連結するように適合された基部をさらに備え、前記基部はプッシャトラック（８００）を含むことを特徴とする、請求項１に記載の商品陳列システム。
【請求項１４】
基部のプッシャトラック内にバネ付勢プッシャをさらに備えることを特徴とする、請求項１２に記載の商品陳列システム。
【請求項１５】
基部および仕切板アセンブリは、棚の前部に沿って伸び且つ棚の前部に取り付けられた前部レール（１０００）と非スライド可能に噛み合うことを特徴とする、請求項１に記載の商品陳列システム。
【請求項１６】
前部レールの上に向いた表面上にある歯車の歯状の突出部（１１００）と噛み合っていることと、基部および仕切板アセンブリの底面の前部の近傍にある歯車の歯状の突出部（９００）をさらに備えることとを特徴とする、請求項１４に記載の商品陳列システム。
【請求項１７】
仕切板部（５０４）と一体化された基部（５１８）を含む一体端部部品（１５００）をさらに備え、端部部品の基部は棚に操作可能に連結するように適合され、端部部品の仕切板部、基部および仕切板アセンブリの仕切板部、および端部部品のプッシャトラック内のプッシャが協働して陳列される商品を収容することを特徴とする、請求項１に記載の商品陳列システム。
【請求項１８】
基部および仕切板アセンブリの第２部分によって支持された第２列目の陳列商品の少なくとも１つの側の反対側の第２列目の陳列商品（１４０２）の側を、端部部品の基部が支持することを特徴とする請求項１６に記載の商品陳列システム。
【請求項１９】
オフセットプッシャを有し、且つ棚に操作可能に連結するように適合された第２の一体化された基部および仕切板アセンブリ（５００−１）をさらに備え、基部および仕切板アセンブリ（５００−２）の第２の基部（５２０−２）は陳列される製品（１４０２）の第１の側を支持し、第２の基部および仕切板アセンブリの第１の基部（５１８−１）は製品の第１の側とは反対の側を支持することを特徴とする、請求項１６に記載の商品陳列システム。
【請求項２０】
前部レール（１０００）経由で前記基部が棚（１４０１）に操作可能に連結することを特徴とする請求項１に記載の商品陳列システム。
【請求項２１】
棚（１４０１）に取り付けられた前部レール（１０００）経由で前記基部が当該棚に操作可能に連結することを特徴とする請求項１に記載の商品陳列システム。
【手続補正２】
【補正対象書類名】明細書
【補正対象項目名】０００４
【補正方法】変更
【補正の内容】
【０００４】
同一出願人による米国特許第６，０４１，７２０号（「’７２０号特許」）では、陳列された商品の仕切りおよび押し出しに使用される製品管理陳列システムを開示している。
ＤＥ２９９−０２，６８８号Ｕ１（公開公報）では、使用される前に互いに連結される必要のある２つ分離されたユニットとして基部および仕切板のアセンブリが組み立てられる商品陳列システムを開示している。Ｄ１のシステムがサイズの異なる製品に使用される場合、製品の異なるサイズの対応した多様の幅を有する製品スライダーガイド（product slider guides）（ここではプッシャトラックともいう）の使用が必要となる。
米国特許第５，２６５，７３８号公報では、プッシャトラックの１つの側面に仕切壁が一体化されたプッシャトラックを有する商品陳列システムを開示している。ＤＥ２９９−０２，６８８号公開公報によって開示されたシステムのように、異なるプッシャトラックの幅に対応するサイズの異なる製品を使用しなければならない。
【手続補正３】
【補正対象書類名】明細書
【補正対象項目名】００１８
【補正方法】変更
【補正の内容】
【００１８】
デオドラント、鎮痛薬、抗ヒスタミン剤等の多くの製品の幅は、最小限の数のプッシャおよび基部部品を用いて棚に沿って互いに横方向に離して間隔を空けることができるようになっているが、プッシャが中心から外れた望ましくない状態となって製品がうまく押し出されない場合がある。例えば、図１０を参照すると、前部レール経由して棚１４０１に操作可能に連結されている複数のＴ字型アセンブリ５００−１乃至５００−３が示されている。Ｔ字型アセンブリ５００−２の基部の幅広部５１８−２およびＴ字型アセンブリ５００−３の細幅部５２０−３によって支持されている比較的幅の狭い製品１４００が示されている。製品１４００は比較的幅が狭いため、Ｔ字型アセンブリ５００−２および５００−３は比較的互いに近接して配置されている。しかし、製品１４０２は比較的幅が広い。従って、Ｔ字型アセンブリ５００−１はＴ字型アセンブリ５００−２から比較的遠くに離されている。製品１４０２はＴ字型アセンブリ５００−２の基部の細幅部５２０−２およびＴ字型アセンブリ５００−１の基部の幅広部５１８−１によって支持されている。Ｔ字型アセンブリ５００−１のプッシャトラックおよびプッシャはＴ字型アセンブリ５００−１の仕切板５０４−１に比較的近接して配置されているため、オフセットプッシャ７００（図３）のようなオフセットプッシャを使用して、オフセット部７０２が製品１４０２等の比較的幅の広い製品の中心により近接して配置されるようにしてもよい。オフセットプッシャ７００は、このプッシャ７００の下部７０６からオフセット部７０４によってずらされた上部７０２を有している。上部７０２を陳列される様々な製品に中心に向かってさらに長く延ばすようにすれば有利である。オフセットプッシャは、最小限の数の部品を使用することを可能とする一方、製品を比較的その中央の近傍で押し出すことを可能とする。
Ｔ字型アセンブリ５００のみを製品のいずれかの側に使用するには製品の幅が大きすぎる場合がある。このような状況においては、製品の下に１つ以上の支持トラックを使用してもよい。さらに、製品の密度の高さおよび／または重さが著しいために、製品を移動させるためのさらなるプッシャを有する他のトラックが必要とされる製品もある。このような状況においては、プッシャ７００を有しているか、または有していない、図４に示され且つ基部とも呼ばれる全幅トラック８００のような全幅トラックを使用してもよい。
【手続補正４】
【補正対象書類名】図面
【補正対象項目名】全図
【補正方法】変更
【補正の内容】
【図１】
2004525728.tif 000001
【図２】
2004525728.tif 000002
【図３】
2004525728.tif 000003
【図４】
2004525728.tif 000004
【図５】
2004525728.tif 000005
【図６】
2004525728.tif 000006
【図７】
2004525728.tif 000007
【図８】
2004525728.tif 000008
【図９】
2004525728.tif 000009
【図１０】
2004525728.tif 000010
【図１１】
2004525728.tif 000011
【図１２】
2004525728.tif 000012